(57)【特許請求の範囲】
【請求項１】
一次巻線，二次巻線をもつトランスと、このトランスの二次巻線に接続された整流平滑回路とからスイッチング電源装置において、
交流入力を直流に整流する整流器と、この整流器に接続されたリアクトルと第１のスイッチとの直列回路と、この第１のスイッチと並列に接続された第１のコンデンサと、前記リアクトルと第１のスイッチとの接続点に接続された第１のダイオードと、この第１のダイオードと整流器との間に接続された第２のコンデンサと、この第２のコンデンサに対して並列に接続された前記トランス一次巻線と第２のスイッチとの直列回路と、この第２のスイッチと並列に接続された第３のコンデンサと、前記リアクトルと第１のスイッチとの接続点に接続された第２のダイオードと、この第２のダイオード接続されたトランス三次巻線と、このトランス三次巻線と整流器との間に接続された第３のスイッチと、この第３のスイッチと逆並列に接続された第３のダイオードとからなることを特徴とするスイッチング電源装置。
【発明の詳細な説明】
【０００１】
【発明の属する技術分野】
この発明は、直流電源からトランス等を介して負荷に電力を供給するスイッチング電源装置に関する。
【０００２】
【従来の技術】
図２に従来例を示す。
この回路は、交流を直流に整流する整流器Ｒｅｃ１と、この整流器Ｒｅｃ１に接続されたコンデンサＣ４と、このコンデンサＣ４に接続されたリアクトルＬ１と第１のスイッチＱ１との直列回路と、このスイッチＱ１と並列に接続されたコンデンサＣ１と、上記リアクトルＬ１と第１のスイッチＱ１との接続点に接続された第１のダイオードＤ１と、このダイオードＤ１に接続されたコンデンサＣ３と、このコンデンサＣ３に接続されたトランス一次巻線Ｎ１と第２スイッチＱ２との直列回路と、このスイッチＱ２と並列に接続されたコンデンサＣ２と、トランス二次巻線Ｎ２と、整流平滑回路Ｒｅｃ２とを有する構成となっている。
【０００３】
この回路の動作は、第１のスイッチＱ１をオンすることにより、リアクトルＬ１を短絡し、力率改善と直流中間電圧調整を行なっている。また、第２のスイッチＱ２をオンすることにより、トランスＴ１にエネルギーを蓄積し、Ｑ２をオフすることにより、Ｔ１に蓄えられたエネルギーをトランス二次巻線Ｎ２より放出し、負荷に電力を供給している。
さらに、この回路では、リアクトルＬ１とコンデンサＣ１，Ｃ４を共振させ、スナバコンデンサＣ１の電圧が最も低くなったときにスイッチＱ１をオンすることにより、Ｑ１のソフト（零電圧）スイッチングを実現している。また、トランス一次巻線Ｎ１とコンデンサＣ２，Ｃ３を共振させ、スナバコンデンサＣ２の電圧が最も低くなったときにスイッチＱ２をオンすることにより、Ｑ２のソフト（零電圧）スイッチングを実現している。
【０００４】
【発明が解決しようとする課題】
しかしながら、図２のような回路では、リアクトルＬ１とコンデンサＣ１，Ｃ４によって共振を行なっているため、スイッチＱ１のオフ期間はリアクトルＬ１とコンデンサＣ１，Ｃ４の値で決定される時間にしなければならず、そのため直流電圧を一定にするためには、オン期間を可変させることになり、Ｑ１のスイッチング周波数が変化してしまうという問題を生じる。
同様に、トランス一次巻線Ｎ１とコンデンサＣ２，Ｃ３によって共振を行なっているため、スイッチＱ２のオフ期間はトランス一次巻線Ｎ１とコンデンサＣ２，Ｃ３の値で決定される時間にしなければならず、そのため直流電圧を一定にするためには、オン期間を可変させることになり、Ｑ１のスイッチング周波数が変化してしまうという問題を生じる。
【０００５】
また、図２のような電源回路をテレビやディスプレイ用電源に用いる場合には、スイッチング周波数を偏向周波数と同期させる方式があるが、このような用途には適用できないという問題もある。
したがって、この発明の課題は力率改善用スイッチ，直流−直流変換用スイッチとも、任意のタイミングでソフトスイッチング可能とすることにある。
【０００６】
【課題を解決するための手段】
このような課題を解決するため、この発明では、一次巻線，二次巻線をもつトランスと、このトランスの二次巻線に接続された整流平滑回路とからスイッチング電源装置において、
交流入力を直流に整流する整流器と、この整流器に接続されたリアクトルと第１のスイッチとの直列回路と、この第１のスイッチと並列に接続された第１のコンデンサと、前記リアクトルと第１のスイッチとの接続点に接続された第１のダイオードと、この第１のダイオードと整流器との間に接続された第２のコンデンサと、この第２のコンデンサに対して並列に接続された前記トランス一次巻線と第２のスイッチとの直列回路と、この第２のスイッチと並列に接続された第３のコンデンサと、前記リアクトルと第１のスイッチとの接続点に接続された第２のダイオードと、この第２のダイオード接続されたトランス三次巻線と、このトランス三次巻線と整流器との間に接続された第３のスイッチと、この第３のスイッチと逆並列に接続された第３のダイオードとからなることを特徴とする。
【０００７】
この発明では、スナバコンデンサの電荷を放電するため、新たに第３スイッチを設けた点が特徴である。そして、力率改善用の第１スイッチ，スイッチング用の第２スイッチがオンする以前に第３スイッチをオンすることにより、第１スイッチのスナバコンデンサの電荷をトランス三次巻線を介して放電し、第１スイッチのスナバコンデンサの電圧が零電圧になった時第１スイッチをオンすることにより、ソフトスイッチングを実現している。このとき、トランス一次巻線には、直流中間コンデンサ側を正とする極性の電圧が発生し、これにより、第１スイッチのスナバコンデンサの電荷が、直流中間コンデンサに回生される。その後、第２スイッチのスナバコンデンサの電圧が零電圧になった時第２スイッチをオンすることにより、ソフトスイッチングを行なう。また、第１スイッチのスナバコンデンサの電荷は、トランスを介して負荷または直流中間コンデンサに回生される。その結果、第３スイッチのスイッチングにより、任意のタイミングでスナバコンデンサの放電が可能となり、第１スイッチ，第２スイッチは任意のタイミングでソフトスイッチングが可能となる。
【０００８】
【発明の実施の形態】
図１はこの発明の実施の形態を示す構成図である。
この回路は、交流を直流に整流する整流器Ｒｅｃ１と、この整流器Ｒｅｃ１に接続されたリアクトルＬ１と第１のスイッチＱ１の直列回路と、このスイッチＱ１と並列に接続されたコンデンサＣ１と、上記リアクトルＬ１と第１のスイッチＱ１の接続点に接続された第１のダイオードＤ１と、このダイオードＤ１に接続されたコンデンサＣ３と、このコンデンサＣ３に接続されたトランス一次巻線Ｎ１と第２のスイッチＱ２との直列回路と、このスイッチＱ２と並列に接続されたコンデンサＣ２と、上記リアクトルＬ１と第１のスイッチＱ１の接続点に接続された第２のダイオードＤ２と、この第２のダイオードＤ２に接続されたトランス三次巻線Ｎ３と、このトランス三次巻線Ｎ３に接続された第３のスイッチＱ３と、この第３のスイッチＱ３と逆並列に接続されたダイオードＤ５と、トランス二次巻線Ｎ２と、整流平滑回路Ｒｅｃ２とを有する構成となっている。すなわち、図２に示すものに対し、第３のスイッチＱ３をダイオードＤ２およびトランス三次巻線Ｎ３とともに付加した点が特徴である。
【０００９】
動作について、以下に説明する。
まず、第１のスイッチＱ１，第２のスイッチＱ２をオンする以前に、第３のスイッチＱ３をオンする。第３のスイッチＱ３がオンすると、第１のスイッチＱ１のスナバコンデンサＣ１は第２のダイオードＤ２，トランス三次巻線Ｎ３を介して放電される。この時、スナバコンデンサＣ１，Ｃ２の電荷は、トランスＴ１を介して負荷またはコンデンサＣ３に回生される。そして、スナバコンデンサＣ１の電圧が零電圧になったとき第１のスイッチＱ１をオンすれば、第１のスイッチＱ１は零電圧スイッチング（オン）になる。
【００１０】
次に、第１のスイッチＱ１がオフすると、第１のスイッチＱ１に流れていた電流はスナバコンデンサＣ１に流れ、スナバコンデンサＣ１の電圧、すなわち、第１のスイッチＱ１の電圧は緩やかに上昇し、零電圧スイッチング（オフ）になる。リアクトルＬ１に蓄えられたエネルギーは、第１のダイオードＤ１を介してコンデンサＣ３に放電される。
同様に、スナバコンデンサＣ２の電圧が零電圧になったとき第２のスイッチＱ２をオンすれば、第２のスイッチＱ２は零電圧スイッチング（オン）になる。第２のスイッチＱ２がオンすればトランス一次巻線に電流が流れ、トランスＴ１にエネルギーが蓄積される。
【００１１】
第２のスイッチＱ２がオンすると、トランス三次巻線Ｎ３には、第３のスイッチＱ３に逆並列に接続されたダイオードＤ５の順方向に電圧が発生し、ダイオードＤ５がオンする。この期間に第３のスイッチＱ３をオフすると、第３のスイッチＱ３は零電圧スイッチング（オフ）になる。
第２のスイッチＱ２がオフすると、第２のスイッチＱ２に流れていた電流はスナバコンデンサＣ２に流れ、スナバコンデンサＣ２の電圧、すなわち、第２のスイッチＱ２の電圧は緩やかに上昇し、零電圧スイッチング（オフ）になる。トランスＴ１に蓄えられたエネルギーは、トランス二次巻線Ｎ２を介して負荷に供給される。
なお、この発明におけるスイッチ素子としては、ＭＯＳＦＥＴの他にＩＧＢＴ，トランジスタといった自励素子などが適用可能である。また、スイッチＱ３はスナバコンデンサの放電のみ行えればよいので、電流定格はスイッチＱ１，Ｑ２より小さいものを用いても良い。
【００１２】
【発明の効果】
この発明によれば、力率改善のためのスイッチおよび直流−直流変換のためのスイッチとも、任意のタイミングでソフトスイッチングさせるようにしたので、下記のような効果を期待することができる。
（ａ）ソフトスイッチングのため、スイッチング損失を低減できる。
（ｂ）ソフトスイッチング時の電圧変化率（ｄｖ／ｄｔ）が小さくなるため、ノイズを低減できる。
（ｃ）テレビ，ディスプレイ用電源などの、スイッチング周波数を偏向周波数と同期させる電源においても適用可能である。
【図面の簡単な説明】
【図１】この発明の実施の形態を示す回路図である。
【図２】従来例を示す回路図である。
【符号の説明】
ＡＣ…交流電源、Ｒｅｃ１，Ｒｅｃ２…整流器、Ｌ１…リアクトル、Ｃ１，Ｃ２，Ｃ３，Ｃ４…コンデンサ、Ｑ１，Ｑ２，Ｑ３…スイッチ、Ｄ１，Ｄ２，Ｄ３，Ｄ４，Ｄ５…ダイオード、Ｔ…トランス、Ｎ１…トランス一次巻線、Ｎ２…トランス二次巻線、Ｎ３…トランス三次巻線。
【図１】
0003800387.tif 000002
【図２】
0003800387.tif 000003